(57)【要約】      （修正有）【課題】愛玩動物の身体の多くの表面積に接触して効果的に冷却し、夏等の高温となる屋内状況においても愛玩動物を熱中症等から守り、安全かつ快適な環境を構成する愛玩動物用冷却具を提供する。【解決手段】内部に中空を有する底部３と、内部に中空を有する側部５と、前記底部３及び前記側部５に充填された冷却剤と、を具備して構成され、前記側部５が前記底部３の縁に立設すること、を特徴とする愛玩動物用冷却具。【選択図】図１
2019097406.tif 000002
【特許請求の範囲】
【請求項１】
内部に中空を有する底部と、
内部に中空を有する側部と、
前記底部及び前記側部に充填された冷却剤と、を具備して構成され、
前記側部が前記底部の縁に立設すること、
を特徴とする愛玩動物用冷却具。
【請求項２】
前記底部が、略円形状であること、
を特徴とする請求項１に記載の愛玩動物用冷却具。
【請求項３】
前記側部が、内部に複数の略直線状の接着部を有すること、
を特徴とする請求項１又は２に記載の愛玩動物用冷却具。
【請求項４】
前記底部に対して立設する前記側部の角度が、４５度〜８５度の範囲であること、
を特徴とする請求項１〜３のいずれかに記載の愛玩応物用冷却具。
【請求項５】
前記冷却剤が、苦味剤を含むこと、
を特徴とする請求項１〜４のいずれかに記載の愛玩動物用冷却具。
【発明の詳細な説明】
【技術分野】
【０００１】
本発明は、愛玩動物の身体を冷却可能な愛玩動物用冷却具に関する。
【０００２】
犬や猫等における愛玩動物は、種類によって非常に寒暖に弱く、例えば熱中症等が引き起ると体調を悪化するばかりか死亡してしまう場合も珍しくない。従来、愛玩動物の適正な体温管理は、愛玩動物用衣類の着脱や、あらかじめ温度調整した蓄熱材等に接触させることで行われてきた（例えば特許文献１参照）。
【０００３】
近年では、蓄熱材を充填したマットを愛玩動物の下方に敷いて愛玩動物の身体に接触させることで温度交換を行う温度調整具や、電気式で天面に温冷機構を備えた器具に愛玩動物を乗せ、身体の冷温を行う温度調整具も存在する（例えば特許文献２参照）。
【先行技術文献】
【特許文献】
【０００４】
【特許文献１】特開２００２−３４５３５５号公報
【特許文献２】特開平７−３２２７８５号公報
【発明の概要】
【発明が解決しようとする課題】
【０００５】
しかしながら、従来の温度調整具では、平面的なマット形状であるため、蓄熱材を愛玩動物の身体の一部にしか接触させることができず、効果的に温度交換を行うことができなかった。また、電気式の温度調整具は、コスト面で導入障壁が高く、また使用中に排尿等をすることで漏電を発生する恐れがあり、安全面でも問題があった。
【０００６】
そこで、従来の愛玩動物用冷却具の構造に着目すると、平面的な構造のため愛玩動物の身体の多くの表面積に接触させることが難しいことは明らかであって、未だ改善の余地があった。
【０００７】
本発明は、上記問題に鑑みて創作されたものであり、愛玩動物の身体の多くの表面積に接触して効果的に冷却し、夏等の高温となる屋内状況においても愛玩動物を熱中症等から守り、安全かつ快適な環境を構成する愛玩動物用冷却具を提供することを目的とする。
【課題を解決するための手段】
【０００８】
上記の課題を解決すべく、本発明は、
内部に中空を有する底部と、
内部に中空を有する側部と、
前記底部及び前記側部に充填された冷却剤と、を具備して構成され、
前記側部が前記底部の縁に立設すること、
を特徴とする愛玩動物用冷却具を提供する。
【０００９】
このような構成を有する本発明の愛玩動物用冷却具によれば、側部から底部の上に入り込んだ愛玩動物の身体が、当該底部及び側部に接触して冷却効果を受けることができる。
【００１０】
より具体的には、底部と、底部の縁の全周又は一部で立設する側部と、から構成されているため、内部の底面及び側面全周が冷却効果を発揮することができ、例えば本愛玩動物用冷却具内で愛玩動物が伏せる又は種々の体勢を取ることで、愛玩動物の身体の多くの表面積が本愛玩動物用冷却具に接触し、効果的に温度交換を行って身体を冷却することができる。また、側部は立設して外気に接触することから、例えばエアコン等の空調機から排出された冷風が接触することにより、効果的に放熱することができる。
【００１１】
また、本発明の愛玩動物用冷却具については、
前記底部が、略円形状であることが望ましい。
【００１２】
このような構成を有する本発明の愛玩動物用冷却具は、略円形状の底部の縁の全周に側部を立設させるため、側部が略円環状となり、より愛玩動物の身体に対して容易に接触することができる。側部は愛玩動物の姿勢に応じて容易に変形することができるため、身体への密着状態を好適に維持し、冷却効果をより向上することができる。
【００１３】
また、本発明の愛玩動物用冷却具については、
前記側部が、内部に複数の略直線状の接着部を有することが望ましい。
【００１４】
このような構成を有する本発明の愛玩動物用冷却具では、中空部が小さい空間に区分けされているため、側部を立設させた際に中空内部に充填した冷却剤が下方に降りることを好適に抑制することができる。また、接着部の配設位置を底部の形状に応じて調整すれば、側部を接着部に沿って屈曲又は屈折することにより、底部の形状に簡便に合致させることができる。なお、略直線状の接着部は、略鉛直方向であっても略垂直方向であっても、その中間の斜め方向であってもよいが、製造工程の観点、及び、側部の底部への設置の観点からは、略鉛直方向であるのがよい。
【００１５】
また、本発明の愛玩動物用冷却具については、
前記底部に対して立設する前記側部の角度が、４５度〜８５度の範囲であることが望ましい。
【００１６】
このような構成を有する本発明の愛玩動物用冷却具は、傾斜角度を当該範囲内とすることで、組み立てた際に本愛玩動物用冷却具の形状が安定し、自重や外圧等の付加による形状崩れを防止することができる。
【００１７】
また、本発明の愛玩動物用冷却具については、更に、
前記冷却剤が、苦味剤を含むことが望ましい。
【００１８】
このような構成を有する本発明の愛玩動物用冷却具は、愛玩動物が冷却剤を口腔内に入れても、苦味剤の苦味によって自発的に吐き出し、誤飲を抑制することができる。
【発明の効果】
【００１９】
本発明によれば、愛玩動物の身体の多くの表面積に接触して効果的に冷却し、夏等の高温となる屋内状況においても愛玩動物を熱中症等から守り、安全かつ快適な環境を構成する愛玩動物用冷却具を提供することができる。
【図面の簡単な説明】
【００２０】
【図１】本実施形態の愛玩動物用冷却具１の概要を説明する斜視図である。
【図２】図１における底部３の構造を示す平面図である。
【図３】図１における側部５Ａの構造を示す平面図である。
【図４】図１における側部５Ｂの構造を示す平面図である。
【図５】本実施形態における愛玩動物用冷却具１の組み立て方法を示す模式図である。
【図６】本実施形態における愛玩動物用冷却具１の使用状態を示す模式図である。
【発明を実施するための形態】
【００２１】
以下、図１〜６を参照しながら、本発明の愛玩動物用冷却具の代表的な実施形態を詳細に説明する。但し、本発明は図示されるものに限られるものではなく、各図面は本発明を概念的に説明するためのものであるから、理解容易のために必要に応じて比や数を誇張又は簡略化して表している場合もある。更に、以下の説明では、同一又は相当部分には同一符号を付し、重複する説明は省略することもある。
【００２２】
１．愛玩動物用冷却具１の概要
図１を用いて本実施形態における愛玩動物用冷却具１の概要について説明する。図１は、本実施形態の愛玩動物用冷却具１の概要を説明する斜視図である。図１に示すとおり、愛玩動物用冷却具１は、例えば猫等における愛玩動物の身体を冷却しつつ、リラックスした体勢をとらせることが可能な飼育具であって、夏等の高温となる屋内状況においても愛玩動物を熱中症等から守り、安全かつ快適な環境を提供するものである。
【００２３】
本実施形態の愛玩動物用冷却具１は、概ね床面等に当接する底部３と、底部３の縁の外周で立設する側部５と、から構成されている。なお、後述にて詳細に説明するが、上記底部３及び側部５の内部には愛玩動物の身体表面と好適に温度交換を行うことができる冷却剤９が充填されている。
【００２４】
２．愛玩動物用冷却具１の構造
＜底部３の構造＞
次に図２を用いて底部３の構造について詳細に説明する。図２は、底部３の構造を示す平面図である。本実施形態で用いる底部３は、上述のとおり一方の面を床面等の平滑な面に当接し、他方の面を後述する側部５に接続する構造を備えている。
【００２５】
底部３は、概ね冷却剤９を充填する成形袋１１と、後述する側部５と接続するための雄面ファスナ７と、成形袋１１の中空内に充填される冷却剤９と、から構成されている。
【００２６】
成形袋１１は、内部に中空を備えた扁平部品であって、略円形の平面形状を有している。なお、本実施形態では、平面形状を完全に円形とはせず、後述する側部５の接続時の状態（接着部１７及び接着部２５の位置で曲げた状態）に合わせて略多角形状としている。
【００２７】
雄面ファスナ７は、一般的な面ファスナの雄面であって、所定のサイズにカットされ、他方の面（床面に対向する面とは反対側の面）の縁全周に所定の間隔で複数個が貼り付けられている。なお、雄面ファスナ７の詳細な貼り付け位置は、後述する側部５の雌面ファスナ１３の配置位置に応じて決定することが望ましい。
【００２８】
冷却剤９は、ポリマーと水とを所定比で混合させた又はＣＭＣと水と防腐剤とを所定比で混合させて構成した液状剤又はゲル状剤であって、目的の物体と当接して温度交換を行うことにより低温に保つことを目的とした薬剤である。
【００２９】
また、本実施形態に用いる冷却材９には、苦味剤が含有されており、愛玩動物が成形袋１１を噛み切って冷却剤９を口腔内に入れても、当該苦味剤の苦味によって自発的に吐き出し、誤飲を抑制することができる。
【００３０】
なお、苦味剤には、例えば安息香酸デナトニウムやオクタアセチルスクロース等を用いることが好ましく、１００ｐｐｍ〜１０００ｐｐｍの範囲で冷却剤９に含有させることが望ましい。
【００３１】
上記冷却剤９を成形袋１１内に充填し、外部から所定の圧力を付加させても破裂しないよう確実に密閉されている。なお、充填量は底部３及び側部５並びに愛玩動物のサイズ等に応じて適宜決定することが望ましい。
【００３２】
＜側部５の構造＞
本実施形態に用いる側部５は、側部５Ａと側部５Ｂとの二つの部品から構成されており、双方を接続することで略円環状となる構成を有している。図３及び図４を用いて側部５を構成する側部５Ａ及び５Ｂの構造について詳細に説明する。図３は側部５Ａの構造を示す平面図であり、図４は側部５Ｂの構造を示す平面図である。
【００３３】
図３に示すとおり、側部５Ａは、概ね冷却剤９を充填する成形袋１９と、上述した底部３と接続するための雌面ファスナ１３と、側部５Ｂと接続するための大判雄面ファスナ１５及び大判雌面ファスナ２３と、成形袋１９の中空内に充填される冷却剤９と、から構成されている。
【００３４】
成形袋１９は、内部に中空を備えた扁平部品であって、略扇形となる平面形状を有している。なお、本実施形態では、底部３と接続して立設させた際に、底部３に対して４５度〜８５度の傾斜角度となるよう平面形状の円弧（外側及び内側の弦）の直径寸法を決定することが望ましい。傾斜角度を当該範囲内とすることで、組み立てた際に本実施形態における愛玩動物用冷却具１の形状が安定し、自重や外圧等の付加による形状崩れを防止することができる。
【００３５】
また、成形袋１９の略中心上方には、径方向に拡幅された頭置き部（換言すると、上方に延びた背高部）２１が形成されており、底部３と接続して本実施形態の愛玩動物用冷却具１を構成した際に、頭置き部２１が上方に立ち上がり、愛玩動物が頭等を置いてよりリラックスすることができる。
【００３６】
更に、成形袋１９には径方向に延びる複数の接着部１７を有しており、内部の中空を接着部１７がより小さな区分に仕切っている。なお、接着部１７は成形袋１９の径方向を渡って中空を完全に間仕切るものと、成形袋１９の略中間のみを仕切り、中空における径方向の両端は連通状態を維持するものと、が存在する。
【００３７】
上記双方の接着部１７は、側部５Ａを底部３に接続する際、底部の形状に合わせて略円弧状に屈曲又は屈折するよう成形袋１９の所定の位置に配設することが望ましい。接着部１７の配設位置を底部の形状に応じて調整すれば、側部５Ａを接着部１７に沿って屈曲又は屈折することにより、底部３の形状に簡便に合致させることができる。
【００３８】
また、接着部１７を複数配設することにより、側部５Ａを立設させた際に中空内部に充填した冷却剤９が下方に降りることを好適に抑制することができる。
【００３９】
雌面ファスナ１３は、一般的な面ファスナの雌面であって、上述した雄面ファスナ７のサイズに合わせてカットされ、内側の弦に沿って底部３に貼り付けた雄面ファスナ７の間隔及び数に合わせて複数個が貼り付けられている。
【００４０】
大判雄面ファスナ１５及び大判雌面ファスナ２３は、上記雄面ファスナ７及び雌面ファスナ１３と同様の一般的な面ファスナであって、成形袋１９の径方向の幅に合わせてカットされ、成形袋１９の両端にそれぞれ貼り付けられる。なお、左右における雄面と雌面との配設は、側部５Ｂに貼り付ける大判雄面ファスナ１５と大判雌面ファスナ２３との配設に応じて決定すればよい。
【００４１】
図４に示すとおり、側部５Ｂは、側部５Ａと略同様に概ね冷却剤９を充填する成形袋２７と、上述した底部３と接続するための雌面ファスナ１３と、側部５Ａと接続するための大判雄面ファスナ１５及び大判雌面ファスナ２３と、成形袋２７の中空内に充填される冷却剤９と、から構成されている。
【００４２】
成形袋２７は、内部に中空を備えた扁平部品であって、略扇形となる平面形状を有している。なお、側部５Ａの成形袋１９と同様に、底部３と接続して立設させた際に、底部３に対して４５度〜８５度の傾斜角度となるよう平面形状の円弧（外側及び内側の弦）の直径寸法を決定することが望ましい。傾斜角度を当該範囲内とすることで、組み立てた際に本実施形態における愛玩動物用冷却具１の形状が安定し、自重や外圧等の付加による形状崩れを防止することができる。
【００４３】
成形袋２７も径方向に延びる複数の接着部２５を有しており、内部の中空を接着部２５によって小さな区分に仕切られている。側部５Ａの接着部１７と略同様に、接着部２５は成形袋２７の径方向を渡って中空を完全に間仕切るものと、成形袋２７の略中間のみを仕切り、中空における径方向の両端は連通状態を維持するものと、が存在する。側部５Ａ及び５Ｂを底部３に接続した状態では、接着部２５は略鉛直方向に延びている。
【００４４】
雌面ファスナ１３、大判雄面ファスナ１５及び大判雌面ファスナ２３は、側部５Ａが具備するものと同様である。なお、側部５Ａ及び側部５Ｂ双方の中空に充填する冷却剤９としては、底部３に充填したものと同様のものを使用している。
【００４５】
成形袋１１、成形袋１９及び成形袋２７は、例えば塩化ビニル樹脂又はナイロン、ポリプロピレン、ポリエチレン及びポリエステル等の軟質の樹脂を用いて形成することが望ましい。
【００４６】
３．愛玩動物用冷却具１の組み立て方法
続いて、図５を用いて本実施形態における愛玩動物用冷却具１の組み立て方法について詳細に説明する。図５は、本実施形態における愛玩動物用冷却具１の組み立て方法を示す模式図である。本実施形態の愛玩動物用冷却具１は、上述した底部３、側部５Ａ及び側部５Ｂそれぞれの扁平な部品を接続することにより立体的に構成することが可能なため、未使用時は取扱性に優れた特徴も有する。
【００４７】
図５に示すとおり、まず側部５Ａと側部５Ｂとを屈曲させ、双方が具備する大判雄面ファスナ１５と大判雌面ファスナ２３とを接続させて略円環状の側部５を構成する。続いて、底部３の一方の面を床面等に対向させつつ当接し、雄面ファスナ７を上方に配向させる。底部３が床面上で安定していることを確認し、あらかじめ構成した上記側部５を側部３の上方から降下させ、底部３が具備する雄面ファスナ７と側部５が具備する雌面ファスナ１３との位置を合わせて接続する。
【００４８】
底部３と側部５とが確実に接続された後、それぞれの中空に充填された冷却剤９の偏りを修正しつつ形状を整える。上記手順を完了することにより、本実施形態における愛玩動物用冷却具１の組み立てが完了し、愛玩動物に与えることができる。
【００４９】
４．愛玩動物用冷却具１の効果
次に、図６を用いて本実施形態における愛玩動物用冷却具１の効果について詳細に説明する。図６は本実施形態における愛玩動物用冷却具１の使用状態を示す模式図である。図６に示すとおり、本実施形態の愛玩動物用冷却具１は、円環状の側部５内に愛玩動物５１が入り込むことで、愛玩動物５１に冷却効果を与えることができる。
【００５０】
上述したとおり、本実施形態の愛玩動物用冷却具１は、略円形の底部３と、底部３の縁の全周で立設する略円環状の側部５と、から構成されているため、内部の底面及び側面全周が冷却効果を発揮することができ、例えば本愛玩動物用冷却具１内で愛玩動物５１が伏せる又は種々の体勢を取ることで、愛玩動物５１の身体の多くの表面積が本愛玩動物用冷却具１に接触し、効果的に温度交換を行って身体を冷却することができる。
【００５１】
また、側部５は愛玩動物５１の姿勢に応じて容易に変形することができるため、身体への密着状態を好適に維持し、冷却効果をより向上することができる。更に、側部５は立設して外気に接触していることから、例えばエアコン等の空調機から排出された冷風が接触することにより、効果的に放熱することができる。
【００５２】
上述のとおり、本実施形態の愛玩動物用冷却具１は、未使用時に底部３、側部５Ａ及び側部５Ｂに分解することができるため、収納性に優れ、また冷蔵庫等の内部の隙間にも容易に挿入して急速に冷却を行うことも可能である。また、例えば、側部５のうちの側部５Ａ又は５Ｂのいずれかを外した状態で使用することも可能である。
【００５３】
以上、本実施形態における愛玩動物用冷却具１の代表的な実施形態について図面を参照しつつ説明してきたが、本発明は、これらの実施形態に限定されるものではなく、特許請求の範囲の記載の精神及び教示を逸脱しない範囲でその他の変形例や改良例が存在し、これらは全て本発明の技術的範囲に含まれる。
【産業上の利用可能性】
【００５４】
本実施形態における愛玩動物用冷却具は、愛玩動物の身体の多くの表面積に接触して効果的に冷却し、夏等の高温となる屋内状況においても愛玩動物を熱中症等から守り、安全かつ快適な環境を構成するものである。
【符号の説明】
【００５５】
１              愛玩動物用冷却具
３              底部
５、５Ａ、５Ｂ  側部
７              雄面ファスナ
９              冷却剤
１１            成形袋
１３            雌面ファスナ
１５            大判雄面ファスナ
１７            接着部
１９            成形袋
２１            頭置き部（背高部）
２３            大判雌面ファスナ
２５            接着部
２７            成形袋
５１            愛玩動物
【図１】
2019097406.tif 000003
【図２】
2019097406.tif 000004
【図３】
2019097406.tif 000005
【図４】
2019097406.tif 000006
【図５】
2019097406.tif 000007
【図６】
2019097406.tif 000008